(57)【要約】      （修正有）【課題】ドアを本体ケースにロック・アンロックするドアロック装置の省スペース化が可能な自動販売機のドアロック装置を提供する。【解決手段】ドアに装着したシリンダー錠４１の操作によりロック・アンロックする自動販売機のドアロック装置であって、スライダ４は平板状をなすとともに平板面がドアの側面に平行に配設される態様で上下方向にスライド移動自在であり、かつ、ドアの後方に向けて突出するフック係合片４０を上下方向に分散して設け、シリンダー錠４１の操作に連動して回動する操作レバーより前記スライダ４をスライド移動させて当該スライダ４に設けたフック係合片４０を本体ケースに分散して設けた係止部に係合・離脱させてドアをロック・アンロックするよう構成し、平板状のスライダ４をその平板面がドアの側面に平行となる態様で配設するによりスライダ４の左右方向の幅を狭くしてドアロック装置の省スペース化を可能とする。【選択図】図５
2015045913.tif 000002
【特許請求の範囲】
【請求項１】
前面が開口した本体ケースと、当該本体ケースの開口を開閉するドアと、前記ドアに装着したシリンダー錠の操作に連動して回動する操作レバーより当該ドアに設けたスライダをスライド移動させてドアをロック・アンロックする自動販売機のドアロック装置において、前記スライダは平板状をなすとともに平板面がドアの側面に平行に配設される態様で上下方向にスライド移動自在であり、かつ、ドアの後方に向けて突出するフック係合片を上下方向に分散して設けてなり、本体ケースはドアに配設されたスライダのフック係合片に対応する位置に係止部を設けてなり、前記ドアを閉じた状態でスライダに設けたフック係合片を本体ケースに設けた係止部に係止させてドアをロックし、前記ドアに装着したシリンダー錠の操作に連動して回動する操作レバーより前記スライダをスライド移動させて当該スライダに設けたフック係合片を本体ケースに設けた係止部から離脱させてドアをアンロックすることを特徴とする自動販売機のドアロック装置。
【請求項２】
請求項１に記載の自動販売機のドアロック装置において、スライダに設けたフック係合片は下方に開放した切り込みを有し、本体ケースに設けた係止部はフック係合片の切り込みに係合・離脱するマグネットホルダー若しくはドアスイッチのケースからなることを特徴とする自動販売機のドアロック装置。
【発明の詳細な説明】
【技術分野】
【０００１】
この発明は本体ケースの前面に配したドアを閉止鎖錠する自動販売機のドアロック装置に関する。
【背景技術】
【０００２】
この種の自動販売機として本体ケースの庫内に収納した商品を直接目視できるようにしたものが知られている。この自動販売機は、断熱筐体として形成された本体ケースの前面に内部を透視可能なように大きな透明窓を有するドアを備えている。前記本体ケースの庫内には缶入り飲料，ペットボトル入り飲料等の商品を前後一列に並べて収容する複数の商品コラムを上下段，左右列に配列して構築した商品収納ラック、該商品収納ラックの前方位置で商品コラムから払出した商品を受容するバケットユニット、該バケットユニットを所定のコラムに移動させる搬送機構を装備し、庫内底部には商品を冷却若しくは加熱する冷却／加熱ユニットが配備されている。また、前記ドアの前面右端領域にはテンキー方式の商品選択ボタン，販売情報を表示する液晶ディスプレイ，硬貨投入口，紙幣挿入口，返却レバーなどの接客操作部やシリンダー錠を備えたハンドルロックが配設され、ドアの下部領域には商品取出口が配設されている。なお、現金の代わりに電子マネーを搭載した自動販売機においては現金の情報を記録したＩＣカードをかざすアンテナ部が接客操作部に設けられる。前記接客操作部に対応するドアの背面には硬貨識別装置，紙幣識別装置などが配設される一方、ドア背面には照明光源の制御，冷却／加熱ユニットの制御，商品の販売制御などを司る本体制御部が配設され、本体ケースの底部は機械室として冷却／加熱ユニットの冷却ユニットと冷凍サイクルを構成する冷凍機コンデンシングユニットや電源装置が配設されている。前記ドアの右端領域には、ドアロック装置を構成するシリンダー錠がドアに装着されている。
【０００３】
前記シリンダー錠の背後における本体ケースとドアとの間にはフック金具と上下スライド式のスライダとからなるロック機構が設けられている。フック金具は本体ケースの前面開口端部に前方に突出する態様で上下方向に分散して設けられる一方、スライダは上下方向に延在する態様でドアに上下方向にスライド移動自在に配設されている。前記シリンダー錠の後端側には操作レバーが固着され、シリンダー錠の回転操作に基き操作レバーを介してスライダをスライド移動させてフック金具に係合・離脱させることによりドアをロック・アンロックするように構成されている。また、シリンダー錠の回転操作に基きドアをアンロックした際、上方にスライド移動したスライダを上昇位置で一時的に保持するスライダ保持機構を備え、ドアを閉じるとフック金具がスライダ保持機構によるスライダの保持を解除してスライダが下降することによりドアがロックされるように構成されている。（例えば、特許文献１）。かかる構成の自動販売機は、通常時には商用電源からの電力供給を受けて運転・販売制御を行うように構成されており、また、シリンダー錠のキー操作によるドアロック装置の鎖錠・解錠によってドアを開閉するように構成されている。
【先行技術文献】
【特許文献】
【０００４】
【特許文献１】特許第５２４６０２４号公報
【発明の開示】
【発明が解決しようとする課題】
【０００５】
ところで、上下方向に延在するスライダは、横断面コ字形に形成され、そのコ字形基部（コ字形底面）にはフック金具が嵌入する角穴が開口し、その左右両側部うちの一方の側部には前記操作レバーが嵌入する角穴が開口し、また、横断面コ字形の内部にスライダ保持機構が内蔵されている。このスライダが配設されるドアのヒンジ側とは反対側の端部には上下方向に延在する補強金具により袋状部が形成され、この袋状部内にスライダが挿入される。この場合、スライダは、ドアを閉じた際にコ字形基部（コ字形底面）が本体ケースに対峙する態様でドアのヒンジ側とは反対側の端部に設けられた袋状部に配設されている。なお、袋状部を形成する補強金具には本体ケースに設けたフック金具が貫通可能な開口、および操作ハンドルに固定した操作レバーが貫通可能な開口が形成されている。前述したとおりスライダはスライダ保持機構を内蔵する横断面コ字形に形成されていることから所定の幅（コ字形基部の幅）を必要とする。一方、ドアの幅は商品収納数などにより一定の幅に定められており、その一定の幅の範囲内で、内部を広く透視可能なように透明窓のスペースを確保するとともに接客操作部に対応するドアの背面に配設される硬貨識別装置，紙幣識別装置などの設置スペースを確保せねばならない。ここで、硬貨識別装置，紙幣識別装置などの設置スペースにスライダを前後方向に重ね合わせて配置すると自動販売機の奥行き寸法が大きくなるので、道路への食み出しが制限された自動販売機の薄型化の妨げとなる。このため、スライダは硬貨識別装置，紙幣識別装置とともに横に並べて設置され、ドアの幅の一部を占めることとなる。それゆえ、スライダによりドアの幅が狭められ、硬貨識別装置，紙幣識別装置などの設置位置が制限されたり、透明窓のスペースが制限されて内部を透視可能な領域を狭くせざるを得ないという課題を有する。
【０００６】
そこで、本発明は上記の点に鑑みなされたものであり、その目的は前記課題を解決し、ドアを本体ケースにロック・アンロクするドアロック装置の省スペース化が可能な自動販売機のドアロック装置を提供することにある。
【課題を解決するための手段】
【０００７】
上記目的を達成するために請求項１にかかる発明は、前面が開口した本体ケースと、当該本体ケースの開口を開閉するドアと、前記ドアに装着したシリンダー錠の操作に連動して回動する操作レバーより当該ドアに設けたスライダをスライド移動させてドアをロック・アンロックする自動販売機のドアロック装置において、前記スライダは平板状をなすとともに平板面がドアの側面に平行に配設される態様で上下方向にスライド移動自在であり、かつ、ドアの後方に向けて突出するフック係合片を上下方向に分散して設けてなり、本体ケースはドアに配設されたスライダのフック係合片に対応する位置に係止部を設けてなり、前記ドアを閉じた状態でスライダに設けたフック係合片を本体ケースに設けた係止部に係止させてドアをロックし、前記ドアに装着したシリンダー錠の操作に連動して回動する操作レバーより前記スライダをスライド移動させて当該スライダに設けたフック係合片を本体ケースに設けた係止部から離脱させてドアをアンロックすることを特徴とする。
【０００８】
また、請求項２に係る発明は、請求項１に記載の自動販売機のハンドルロック装置において、スライダに設けたフック係合片は下方に開放した切り込みを有し、本体ケースに設けた係止部はフック係合片の切り込みに係合・離脱するマグネットホルダー若しくはドアスイッチのケースからなることを特徴とする。
【発明の効果】
【０００９】
本発明の請求項１に係る自動販売機のドアロック装置によれば、前面が開口した本体ケースと、当該本体ケースの開口を開閉するドアと、前記ドアに装着したシリンダー錠の操作に連動して回動する操作レバーより当該ドアに設けたスライダをスライド移動させてドアをロック・アンロックする自動販売機のドアロック装置において、前記スライダは平板状をなすとともに平板面がドアの側面に平行に配設される態様で上下方向にスライド移動自在であり、かつ、ドアの後方に向けて突出するフック係合片を上下方向に分散して設けてなり、本体ケースはドアに配設されたスライダのフック係合片に対応する位置に係止部を設けてなり、前記ドアを閉じた状態でスライダに設けたフック係合片を本体ケースに設けた係止部に係止させてドアをロックし、前記ドアに装着したシリンダー錠の操作に連動して回動する操作レバーより前記スライダをスライド移動させて当該スライダに設けたフック係合片を本体ケースに設けた係止部から離脱させてドアをアンロックすることにより、スライダは平板状であって平板面がドアの側面に平行に配設されることからスライダの左右方向の幅を狭くすることができるのでドアロック装置の省スペース化が可能となるという効果を奏する。
【００１０】
また、本発明の請求項２に係る自動販売機のドアロック装置によれば、請求項１に記載の自動販売機のドアロック装置において、スライダに設けたフック係合片は下方に開放する切り込みを有し、本体ケースに設けた係止部はフック係合片の切り込みに係合・離脱するマグネットホルダー若しくはドアスイッチのケースからなることにより、スライダに設けたフック係合片が離脱する係止部に専用の部品を用いることなく他の部品と兼用できるという効果を奏する。
【図面の簡単な説明】
【００１１】
【図１】本発明の実施の形態１にかかる自動販売機の正面図である。
【図２】図１の自動販売機の構成を示し、（ａ）はドア開放状態の右斜め前方から見た斜視図、（ｂ）は係合部材の斜視図である。
【図３】図１の自動販売機のドア閉成状態の一部切欠平面図である。
【図４】硬貨シュートの構成を示し、（ａ）は硬貨シュートの取付け状態を示す背面斜視図、（ｂ）は硬貨シュートに取付けた可動カバーを上昇させた状態を示す背面斜視図、（ｃ）は硬貨シュートの分解図である。
【図５】第２ドアとドアロック装置のスライダとの関係を示し、（ａ）はスライダが配置された第２ドアの背面斜視図、（ｂ）は第２ドアからスライダを取り外した分解斜視図である。
【図６】第２ドアと分解したスライダとの関係を示す要部拡大斜視図である。
【図７】スライダ（作動板）とシリンダー錠との関係を示す要部拡大斜視図である。
【図８】マグネットホルダーを示し、（ａ）はマグネットホルダーの取付け状態を示す一部切欠斜視図、（ｂ）はマグネットホルダーの斜視図、（ｃ）はマグネットホルダーの分解斜視図である。
【図９】ドアスイッチを示し、（ａ）はドアスイッチの斜視図、（ｂ）はドアスイッチの分解斜視図である。
【図１０】ドアスイッチの動作を示し、（ａ）〜（ｃ）はドアスイッチの動作過程を示す背面図、（ｄ），（ｅ）はドアスイッチの動作前後の状態を示す斜視図である。
【図１１】スライダのフック係合片とマグネットホルダーおよびドアスイッチのケースとの係合状態を示す一部切欠概略図である。
【発明を実施するための形態】
【００１２】
以下、本発明の実施の形態の自動販売機を添付図面に基づいて詳細に説明する。
【００１３】
本発明の実施の形態の自動販売機の外観を示す図１および図２において、１は前面が開放した直方体状の薄板鋼板により形成された外箱からなる本体ケースであり、本体ケース１の庫内は断熱仕切壁１０により左右方向に２つの室に分割され、正面視左側の室が上壁，左右側壁（右側壁は断熱仕切壁１０），背壁および底壁にウレタンフォームからなる断熱ボードを配設した断熱構造の商品収納室１ａとして形成され、正面視右側の室が常温室１ｂとして形成されている。前記本体ケース１の商品収納室１ａ内には上下方向に複数段の商品収納ラック１１が前方に引出し可能に配設され、それぞれの商品収納ラック１１には仕切壁１２により左右方向に複数列の商品収納通路（商品コラム）１３が形成され、当該商品収納通路１３には前後方向に螺旋状に延在するスパイラル部材の螺旋空間に前後一列に並べて商品が収納される。前記商品収納通路１３に敷設されたスパイラル部材は、当該商品収納通路１３の後端に設置されたベンドモータにより回転駆動されて前端が商品を１個ずつ搬出するスパイラル搬送装置として構成されている。また、商品収納室１ａの上下複数段の商品収納ラック１１の前方域には左右複数列の商品収納通路（商品コラム）１３に跨る大きさのバケットユニット（不図示）が上下方向に昇降自在に配設されている。前記バケットユニットは商品収納室１ａの前方域に設けた上下プーリに架け渡して配設された不図示のタイミングベルトに結合され、前記上部プーリの回転軸をステッピンモータなどの駆動手段により駆動することによりタイミングベルトを介して昇降移動するように構成されている。なお、この例では商品収納室１ａ内がコールド専用室として形成され、庫内下部には冷却ユニット（冷凍機のエバポレータ）が設置され、前記冷却ユニットは本体ケース１の底部であって、商品取出口１ｃの背後に位置する機械室に設置された圧縮機や凝縮器等と配管接続されている。
【００１４】
図１および図２において、２，３は本体ケース１の前面に不図示のヒンジ機構により観音開き式に開閉自在に設けられた第１ドア，第２ドアである。第１ドア２は、ドア本体ケース１の正面視左側に配備したケース補強枠にヒンジ機構により開閉自在に設けられたものであり、二重の透明部材（実施の形態では矩形のガラス）２０の周囲に配設される上下左右の硬質ガスケット２ａ〜２ｄのそれぞれの端面を結合して額縁状に組立てることによりドア枠が形成され、二重の透明部材２０により本体ケース１の商品収納室１ａ内に収容された商品を視認可能なように形成されている。本体ケース１との間にヒンジ機構が設けられる硬質ガスケット２ｃは、補強金具（不図示）で補強されてヒンジ金具が結合されるように構成されているものである。第１ドア２は、商品収納室１ａの前面を閉塞する如くヒンジ機構とは反対側の硬質ガスケット２ｄの側面（以下、反ヒンジ側面ともいう）が断熱仕切壁１０の前端の略中央まで延在する大きさを有し、断熱仕切壁１０の前端に対峙する硬質ガスケット２ｄが断熱仕切壁１０の前面に設けた軟質のシール部材１１ａに当接するように構成されている。また、第１ドア２の反ヒンジ側面には横断面Ｌ字状で上下方向に延在する長尺の鋼板製になる係合部材２１が固着されている。この係合部材２１は、横断面Ｌ字状の一方の脚片が断熱仕切壁１０の前端に対峙する態様で他方の脚片を第１ドア２の反ヒンジ側面にねじにより固着してなるとともに、一方の脚片からさらに反ヒンジ機構側に延在して常温室１ｂ側に進出する複数の張出片２２を備えている。そして、第１ドア２を閉じた際に常温室１ｂ側に進出した張出片２２が断熱仕切壁１０の常温室１ｂ側に配設した複数のマグネットホルダー６に設けたマグネットに吸着されるように構成されている。このマグネットホルダー６については後述するが、第１ドア２はその張出片２２がマグネットに吸着されることにより商品収納室１ａの前面を閉塞した状態に維持される。
【００１５】
一方、第２ドア３は、背面が開放した箱形に形成された板金製になり、本体ケース１の正面視右側に配備したケース補強枠１ｅ（図３参照）にヒンジ機構により開閉自在に設けられている。前記ヒンジ機構は、本体ケース１のケース補強枠１ｅに固定したケース側ヒンジ金具１ｆにカール状に形成された軸部と、第２ドア３の右側ドア枠３ａに固定したドア側ヒンジ金具３ｂにカール状に形成された軸部とに貫通させた軸（不図示）とからなる。第２ドア３は、その前面に数字キーの組合せで購入商品を指定する入力部としてのテンキー押ボタン３１、このテンキー押ボタン３１の上方位置に販売情報を表示する液晶ディスプレイ３２、その下方に硬貨投入口３３および返却レバー３４が配設され、液晶ディスプレイ３２の上方に紙幣挿入口３５が、そして、下方部に硬貨返却口３６が配設されてなる接客操作部として構成され、また、キー挿入溝を備えたシリンダー錠４１が設けられている。第２ドアの背面には硬貨識別装置３７，紙幣識別装置３８，金庫３９などが装着され、硬貨投入口３３から投入された硬貨は硬貨シュート３０を介して硬貨識別装置３７に案内され、紙幣挿入口３５から挿入された紙幣は直接紙幣識別装置３８に受け入れられるように構成されている。また、第２ドア３は、常温室１ｂの前面を閉塞する如くヒンジ機構とは反対側の左側ドア枠３ｃの側面（以下、反ヒンジ側面ともいう）が断熱仕切壁１０の前端の略中央まで延在する大きさを有し、第２ドア３の左側ドア枠３ｃの前後方向の長さが右側ドア枠３ａの長さよりも短くなるように形成され、第１ドア２を閉じたうえで第２ドア３を閉じると第１ドア２に設けた横断面Ｌ字状の係合部材２１の一方の脚片と前後に重なり合うとともに左側ドア枠３ｃの内方を向くフランジが第１ドア２の係合部材２１におけるＬ字状屈曲部に設けたクッション１ｇに当接し、第２ドア３の前面が第１ドア２の前面と面一になるように構成されている。なお、第２ドア３には、矩形窓を閉塞する目隠し板３００が設けられ、現金の代わりに電子マネーを搭載する場合には前記目隠し板３００を取り外して現金の情報を記録したＩＣカードをかざすアンテナ部が配設される。
【００１６】
ここで、第２ドア３の前面の硬貨投入口３３と第２ドア３の背面に装着した硬貨識別装置３７とを連係する硬貨シュート３０を図４に示す。この硬貨シュート３０は、硬貨投入口３３から水平姿勢で投入された硬貨を受け入れて下り傾斜の傾斜部分を滑降させたうえで鉛直部分を介して鉛直姿勢に方向転換させる硬貨案内通路を構成するものである。硬貨シュート３０は、硬貨案内通路のインサイドを形成する樹脂製の下部フレーム３０１と硬貨案内通路のアウトサイドを閉塞する板金製の上部ガード部材３０２との組立体になる。なお、図４の（ａ），（ｂ）において、３４０は硬貨返却レバー３４の後端に連結され、硬貨識別装置３７の硬貨選別機を開放させる開放レバー３７１に連携した返却操作部材である。
【００１７】
下部フレーム３０１は樋状の硬貨案内通路の滑降面に硬貨投入口３３から侵入した雨水を排水するスリット３０１ａが形成され、当該スリット３０１ａを通して排出された雨水を捕集して第２ドア３の背面側に放出する排水路が形成されている。この硬貨シュート３０は、下部フレーム３０１をねじＳ１により第２ドア３のドア枠に固着して取付けることにより入口部が硬貨投入口３３に対峙する一方、出口部が硬貨識別装置３７の漏斗状の硬貨受入口３７０との間に所定の隙間をもって対峙している。所定の隙間とは硬貨識別装置３７を着脱（硬貨識別装置３７の下端側の軸を支点として上端側を回動させて着脱）する際に硬貨受入口３７０が硬貨シュート３０に当接することがなく、かつ、それも多少の余裕をもたせた隙間である。この構成の硬貨シュート３０は従来から良く知られているものであり、硬貨シュート３０の出口部と硬貨識別装置３７の漏斗状の硬貨受入口３７０との間に隙間がある場合、硬貨シュート３１０から硬貨識別装置３７の硬貨受入口３７０に進入する硬貨の軌跡が不定であることから、硬貨シュート３１０の出口部から放出された硬貨が漏斗状の硬貨受入口３７０の内壁に衝突し、漏斗状の硬貨受入口３７０の内壁に衝突して跳ね返った硬貨が硬貨受入口３７０から飛び出してしまうことがある。
【００１８】
そこで、前記公知の硬貨シュート３０の出口部に可動カバー３１０が追加装備されている。前記可動カバー３１０は矩形平板の板金製になり、板面に２条の上下方向に延在する摺動溝３１１，３１１が形成されるとともに上端に指掛け部３１２が形成されている。この可動カバー３１０を硬貨シュート３０の出口部に上下方向にスライド移動自在に装着するため、硬貨シュート３０の上部ガード部材３０２には鉛直面３０３ａを備えた取付金具３０３が固着されている。前記取付金具３０３の鉛直面３０３ａには２本の段付きねじ３２１，３２２が螺着されるねじ穴がタッピングされている。前記段付きねじ３２１，３２２は可動カバー３１０の摺動溝３１１，３１１を介して前記取付金具３０３の鉛直面３０３ａに螺着される。ここで、可動カバー３１０の摺動溝３１１，３１１の幅は段付きねじ３２１，３２２の胴部の径よりも大きく、かつ、段付きねじ３２１，３２２の頭部の径よりも小さく形成されている。また、可動カバー３１０の厚さ（板厚）は段付きねじ３２１，３２２の胴部の高さよりも小さい板厚の板金により形成されている。したがって、可動カバー３１０を段付きねじ３２１，３２２を介して取付金具３０３に取付けた状態で可動カバー３１０は自重により摺動溝３１１，３１１の上縁が段付きねじ３２１，３２２に当接する態様で下降位置に垂下し、かつ、揺動変位自在である。この場合、摺動溝３１１，３１１の位置および上下方向の長さは、下降位置に垂下した可動カバー３１０の下端が少なくとも硬貨識別装置３７の硬貨受入口３７０の上端にまで延在し、また、指掛け部３１２に指を添えて上昇位置まで上昇させた可動カバー３１０の下端が少なくとも硬貨シュート３０の出口部の下端に位置するように定められている。
【００１９】
かかる構成の可動カバー３１０は、硬貨シュート３０のアウトサイド側の出口部に上下方向にスライド移動自在に設けられており、下降位置に垂下した常時において硬貨シュート３０のアウトサイド側の出口部と硬貨識別装置３７の硬貨受入口３７０との間の隙間を閉塞している。これにより、硬貨シュート３１０の出口部から放出された硬貨が可動カバー３１０に衝突すると可動カバー３１０が揺動して変位することにより衝撃を吸収する。これにより、可動カバー３１０に衝突した硬貨は大きく跳ね返ることなく下方に落下して硬貨識別装置３７の硬貨受入口３７０に捕集される。一方、硬貨シュート３１０の出口部から放出された硬貨が可動カバー３１０とは反対側の硬貨識別装置３７の硬貨受入口３７０の内壁に衝突して跳ね返った場合、当該硬貨は可動カバー３１０に衝突して衝撃を吸収されたうえで下方に落下して硬貨識別装置３７の硬貨受入口３７０に捕集される。したがって、可動カバー３１０を硬貨シュート３０のアウトサイド側の出口部に上下方向にスライド移動自在で、かつ、変位可能に取付けるのみで硬貨シュート３０の出口部と硬貨識別装置３７の漏斗状の硬貨受入口３７０との間の隙間から硬貨が飛び出すのを防止することができる。また、硬貨識別装置３７を着脱する際には下降した可動カバー３１０の指掛け部３１２に指を添えて上限位置まで上昇させたうえで硬貨識別装置３７の装着或いは取外しを行えばよい。
【００２０】
前述したように、観音開き式に開閉自在に設けられた第１ドア２，第２ドア３は、第１ドア２を閉じたうえで第２ドア３を閉じると第２ドア３の左側ドア枠３ｃが第１ドア２の反ヒンジ側面に設けた係合部材２１と前後に重なり合うように構成されており、第１ドア２，第２ドア３の順番に閉じた後に第２ドア３に設けたシリンダー錠４１のキー挿入溝にキー（不図示）を差し込んで回転させることにより第１ドア２，第２ドア３をロックするドアロック装置について図５乃至図７も参照して以下に説明する。なお、図５ではドアロック装置の配置構成を分かり易くするために第２ドア３の背面に配設される硬貨識別装置３７，紙幣識別装置３８などについては取り外した状態を示している。
【００２１】
ドアロック装置は、第２ドア３に設けたシリンダー錠４１に連動して上下方向にスライド移動するとともにフック係合片４０を備えたスライダ４と、本体ケース１の庫内を左右方向に２つの室に分割する断熱仕切壁１０の常温室１ｂ側に設けた係止部５（図２参照）からなる。なお、係止部５は後述するマグネットホルダー６のケース６１およびドアスイッチ７のケース７１と兼用されているものである。
【００２２】
前記スライダ４は、第２ドア３から分解した状態を示す図５の（ｂ）に示すように、上下方向に延在する平板状部材からなる。前記スライダ４は、その長辺側の両端を同一方向に折り曲げてフランジ（図６も参照）が形成されている。また、スライダ４には、上下方向に分散してフック係合片４０と段付きねじ４１０が取付けられるとともに上下方向の中央よりやや上方寄りに作動片４Ａが取付けられている。前記フック係合片４０は、図６に拡大して示すように、下方に開口した切り込みを有するものであって、スライダ４の平板面にねじＳ２〜Ｓ４により固着され、この実施の形態では３個のフック係合片４０が取付けられている。また、段付きねじ４１０は、スライダ４の背面側からスライダ４の平板面にタッピングされたねじ穴に螺着されたものであって、この実施の形態では上下方向に３個の段付きねじ４１０が取付けられている。さらに、作動片４Ａは、図７に拡大して示すように、Ｌ字状の一方の脚片がスライダ４の平板面にねじにより固着される一方、他方の脚片には水平方向に延在する長穴４Ａ１が形成されている。
【００２３】
前記スライダ４が配設される第２ドア３の反ヒンジ側面（左側ドア枠３ｃの内壁）には上下方向に延在する厚板鋼板からなるケース補強枠３Ａが溶接により固着され、このケース補強枠３Ａの前方領域側を第２ドア３の内側に向けて突出する態様で折り曲げたＵチャンネル状のガイドレール部材３Ａ１（図６も参照）が形成されている。このＵチャンネル状のガイドレール部材３Ａ１における第２ドア３の内側に向けて突出する板面には上下方向に延在する長溝３Ａ２１とこの長溝３Ａ２１の上部に連通するとともに長溝３Ａ２１の幅よりも大きな径の大径部３Ａ２２からなる摺動溝３Ａ２が形成されている。この摺動溝３Ａ２は、スライダ４に螺着した段付きねじ４１０と等ピッチでガイドレール部材３Ａ１に上下方向に分散して３個形成され、また、摺動溝３Ａ２の大径部３Ａ２２の径は前記段付きねじ４１０の頭部の径よりも大きく、長溝３Ａ２１の幅は前記段付きねじ４１０の胴部の径よりも大きく、かつ、前記段付きねじ４１０の頭部の径よりも小さい寸法に定められている。なお、図５の（ｂ）では下段の摺動溝３Ａ２は第２ドア３の構成部材に隠れた場所に形成されており、図では見ることができない。
【００２４】
ここで、前記スライダ４はＵチャンネル状のガイドレール部材３Ａ１よりも一回り大きく形成されているものであり、フック係合片４０が第２ドア３の後方に向けて突出する態様で前記ガイドレール部材３Ａ１に覆い被さるように配設される。この場合、スライダ４の背面に螺着された段付きねじ４１０の頭部をガイドレール部材３Ａ１に形成した摺動溝３Ａ２の大径部３Ａ２２を貫通させたうえでスライダ４を下降させて前記段付きねじ４１０の胴部を摺動溝３Ａ２の長溝３Ａ２１に嵌め込む。これにより、スライダ４の平板面が第２ドア３の左側ドア枠３ｃに平行となる態様で上下方向にスライド移動自在に配設される。また、第２ドア３の左側ドア枠３ｃに平行に配設されたスライダ４は、第２ドア３に固着されたシリンダー錠４１よりも左側ドア枠３ｃに近接して位置している。
【００２５】
前記スライダ４の背面に螺着した段付きねじ４１０がガイドレール部材３Ａ１に形成した摺動溝３Ａ２の長溝３Ａ２１の下縁に当接した状態、すなわち、スライダ４が下限位置に下降したロック状態において、スライダ４に取付けた作動片４Ａは第２ドア３に固着したシリンダー錠４１の近傍に位置し、作動片４Ａの他方の脚片に形成した水平方向に延在する長穴４Ａ１がシリンダー錠４１の背面に位置している。図７に示すように、前記シリンダー錠４１の内筒の後端には長方形の操作レバー４３が取付けられている。この操作レバー４３の長手方向に一方側にはシリンダー錠４１の内筒後端の形状に一致し、かつ、内筒後端より一回り大きな矩形孔４３１が形成される一方、長手方向に他方側には段付きねじ４４のねじ穴がタッピングされている。前記操作レバー４３は、シリンダー錠４１の内筒後端に矩形孔４３１を嵌合させたうえでナットＮ１によりシリンダー錠４１の内筒後端に固着される。シリンダー錠４１は施錠された状態にある図７の場合、操作レバー４３は長手方向が水平姿勢となり、操作レバー４３のねじ穴４３２が作動片４Ａの他方の脚片に形成した水平方向に延在する長穴４Ａ１の一方の端部（図７の（ａ）では右端側）に前後方向に重なり合うように構成されている。ここで、作動片４Ａの長穴４Ａ１の幅は、段付きねじ４４の頭部の径よりも小さく、段付きねじ４４の胴部の径よりも大きい寸法に定められている。そこで、作動片４Ａ１の長穴４Ａ１を介して段付きねじ４４を操作レバー４３のねじ穴４３２に螺合させることにより、シリンダー錠４１とスライダ４が操作レバー４３と作動片４Ａを介して連結される。
【００２６】
かかる構成により第２ドア３の前方から施錠状態のシリンダー錠４１のキー挿入溝にキーを挿入してシリンダー錠４１を時計方向（図７の（ａ）では矢印Ａの反時計方向）に略９０度回転させると操作レバー４３を介して段付きねじ４４がシリンダー錠４１の内筒を中心に時計方向に旋回しつつ作動片４Ａの長穴４Ａ１の右端側から左端側に移動してスライダ４を上昇させる。シリンダー錠４１を時計方向に９０度回転させるとスライダ４が上限位置まで上昇（アンロック状態）し、その際スライダ４に螺着した段付きねじ４１０は、ケース補強枠３Ａのガイドレール部材３Ａ１に形成した摺動溝３Ａ２の大径部３Ａ２２より下方の長溝３Ａ２１内に位置している。スライダ４が上限位置まで上昇したアンロック状態からシリンダー錠４１を反時計方向に９０度回転させると上述の動作と逆の動作によりスライダ４が下降して図７の（ａ）のロック状態となる。このように、シリンダー錠４１に連動してスライダ４が上下方向にスライド移動し、スライダ４に固着したフック係合片４０も同様に上下方向にスライド移動する。
【００２７】
一方、前記フック係合片４０と係合・離脱する係止部５（図２参照）は、本体ケース１の庫内を左右方向に２つの室に分割する断熱仕切壁１０の常温室１ｂ側に設けられており、この実施の形態では係止部５としてマグネットホルダー６のケース６１およびドアスイッチ７のケース７１が兼用されているものであり、以下、このマグネットホルダー６とドアスイッチ７について説明する。
【００２８】
前記マグネットホルダー６は、図２に示すように、上下方向の３箇所に分散して配置され、図８の（ａ）では分散して配置されたマグネットホルダー６の取付状態を拡大して示し、（ｂ）および（ｃ）では上部のマグネットホルダー６の斜視図および分解図を示す。図８に示すように、マグネットホルダー６は、薄い箱形の容器形状をなすケース６１を備えている。このケース６１は、薄い箱形の容器を断熱仕切壁１０に被せたように取付けられるものであり、以下の説明において前後・上下・左右とは、このように断熱仕切壁１０に取付けた状態、すなわち、図８の（ａ）に白抜き矢印で示す自動販売機の正面から見た状態を指すものである。
【００２９】
前記ケース６１は、上面，下面および左側面が開放した厚板鋼板製になり、前壁から左側面側に折り曲げたフランジ６１ａおよび後壁から後方側に折り曲げたフランジ６１ｂにそれぞれ２個のねじ挿通穴（図では、フランジ６１ａのねじ挿通穴６１ａ1の一部が見えてり、その他のねじ挿通穴はケース６１に隠れて見えない）が形成されている。ケース６１の前壁には上下方向に長い開口６１ｃが形成され、この開口６１ｃはフランジ６１ａにまで延在している。また、ケース６１の右側壁にはフランジ６１ａに形成したねじ挿通穴６１ａ1，６１ａ２を覗くことが可能な工具挿入孔が形成されている。
【００３０】
前記ケース６１の前壁に形成された開口６１ｃにはマグネット取付基台６２が取付けられる。マグネット取付基台６２は、板状のマグネット６０が露出するように埋め込まれた胴部６２１と、上下に張り出す鍔６２２，６２２からなる合成樹脂製になり、胴部６２１における鍔６２２，６２２の背後には弾性変形可能な三角状の係止爪６２３，６２３が形成されている。マグネット取付基台６２の鍔６２２は、ケース６１の前壁に形成された開口６１ｃよりも大きく形成される一方、胴部６２１は開口６１ｃよりも小さく形成されている。このマグネット取付基台６２は、その胴部６２１をケース６１の前方から開口６１ｃに挿入し、係止爪６２３，６２３が開口６１ｃの縁部を乗り越えるように押し込むと弾性変形した係止爪６２３，６２３が元の状態に復元してケース６１の前壁の背面に回り込むことによりケース６１の前壁に装着される。このように、マグネット取付基台６２が一体化されたマグネットホルダー６は、断熱仕切壁１０の上段，中段に配設して取付けられ、下段にはマグネット取付基台６２が装着されていないマグネットホルダー６（ケース６１）が配設される。マグネットホルダー６の断熱仕切壁１０への取付けは、ケース６１のフランジ６１ａ，１ｂに形成したそれぞれのねじ挿通穴６１ａ１，６１ａ２等を介してねじにより固定される。なお、断熱仕切壁１０は、常温室１ｂ側に露出したウレタンフォームからなる断熱ボード覆うように板金が貼着され、マグネットホルダー６を固定するねじを取付けることができるように構成されているものである。
【００３１】
かかる構成のマグネットホルダー６は、断熱仕切壁１０の常温室１ｂ側に上下に分散してマグネット６０が前方を向く態様で取付けられる。この場合、上段および中段のマグネットホルダー６の取付け位置は、観音開き式の第１ドア２，第２ドア３を開放した状態から第１ドア２を閉じて第１ドア２の硬質ガスケット２ｄが断熱仕切壁１０の前面に設けた軟質ガスケット１１ａに当接した際、第１ドア２の反ヒンジ側面に設けた係合部材２１の張出片２２がマグネットホルダー６の前壁に取付けられたマグネット６０に当接して吸着される位置に定められている。したがって、第１ドア２を閉じると第１ドア２がマグネット６０に吸着されて第１ドア２による商品収納室１ａの断熱状態が維持される。なお、下段のマグネットホルダー６は、第１ドア２よりも下方に位置しているので、第１ドア２を吸着するマグネット６０（マグネット取付基台６２）が装着されておらず、マグネットホルダー６のケース６１のみが取付けられているものである。
【００３２】
次に、ドアスイッチ７は、図２に示すように、断熱仕切壁１０の上下方向の略中段位置に配設され、このドアスイッチ７を図９に拡大して示し、図８の（ａ）にも図示している。図９に示すようにドアスイッチ７は、薄い箱形の容器形状をなすケース７１を備えている。このケース７１は、薄い箱形の容器を断熱仕切壁１０に被せたように取付けられるものであり、以下の説明において前後・上下・左右とは、このように断熱仕切壁１０に取付けた状態、すなわち、図９に白抜き矢印で示す自動販売機の正面から見た状態を指すものである。
【００３３】
ドアスイッチ７は、ケース７１にラッチ部材７２と復帰ばね７３が内蔵され、ケース７１の下壁に押釦スイッチ７４を取付けてなるものである。ケース７１は上面と左側面が開放した厚板鋼板製になり、前壁から左側面側（開放面側ともいう）に折り曲げたタブ付きフランジ７１ａのタブにねじ挿通穴が形成され、後壁から開放面側とは反対方向に折り曲げたフランジ７１ｂに２個のねじ挿通穴（図９ではケース７１に隠れて見えない）が形成され、それぞれのねじ挿通穴を介してねじにより断熱仕切壁１０に取付けられる。また、ケース７１の前壁の下部側には開口７１ｃが形成されるとともに右側面壁（底面ともいう）にはねじ穴がタッピングされている。
【００３４】
前記ケース７１に内蔵されたラッチ部材７２は矩形基台７２１と矩形基台７２１の上下縁から同一方向に折り曲げた上下のフランジ７２２，７２３と後縁から切り起こされたばね係止片７２４（図１０参照も参照）からなる。矩形基台７２１の板面には鉛直方向に延在する鉛直溝７２０ａと水平方向に延在する水平溝７２０ｂの組み合わせからなる一対の摺動溝７２０が上下および左右方向にずらして形成されている。また、上下のフランジ７２２，７２３は矩形基台７２１よりも前方に延在する態様でダブルホールドされた片が形成され、下フランジ７２３における前方に延在する片が第１ドア２により押圧される第１ドア検出片７２３ａとして形成され、上フランジ７２２における前方に延在する片がラッチ片７２２ａとして形成されている。なお、ダブルホールドされた第１ドア検出片７２３ａからは下方に延在するストッパ片７２３ｂが形成されている。前記ラッチ部材７２は、摺動溝７２０，７２０に挿通されるとともにケース７１の底面にタッピングされたねじ穴に螺着された段付きねじ７５，７５によりケース７１にスライド移動自在に取付けられる。ケース７１に段付きねじ７５，７５を介して取付けられたラッチ部材７２は、ケース７１の前壁における開口７１ｃの上方に設けたねじ係止穴７１ｄとラッチ部材７２の後縁から切り起こされたばね係止片７２４との間に張架された復帰ばね７３により常時前方に向けて付勢されている。
【００３５】
ここで、第１ドア検出片７２３ａおよびラッチ片７２２ａは、ラッチ部材７２が前後方向にスライド移動することにより第１ドア検出片７２３ａがケース７１の前壁に形成した開口７１ｃを介して、また、ラッチ片７２２ａがケース７１の前壁の上縁の上方域から前方に出没自在である。この場合、第１ドア検出片７２３ａがケース７１の前壁に形成した開口７１ｃの上縁の近傍に位置するように、第１ドア検出片７２３ａ，ラッチ片７２２ａ，開口７１ｃの位置がそれぞれ定められている。そして、第１ドア検出片７２３ａおよびラッチ片７２２ａは、復帰ばね７３の付勢力により段付きねじ７５，７５が摺動溝７２０，７２０の水平溝７２０ｂ，７２０ｂの端縁に位置する待機状態でケース７１の前壁より前方に突出している。この待機状態でラッチ部材７２の下フランジ７２３が押釦スイッチ７４の押釦７４１と非接触状態で対峙している。
【００３６】
かかる構成のドアスイッチ７は、断熱仕切壁１０の常温室１ａ側にラッチ片７２２ａおよび第１ドア検出片７２３ａが前方を向く態様で取付けられる。この場合、第１ドア検出片７２３ａが第１ドア２の反ヒンジ側面に設けた係合部材２１の複数の張出片２２の一つに対峙する位置に定められている。そして、観音開き式の第１ドア２，第２ドア３が開放されている場合には、図１０の（ａ），（ｄ）に示すように、ラッチ片７２２ａおよび第１ドア検出片７２３ａが前方に突出した待機状態となる。この待機状態において、第１ドア２が閉じられると、ドアスイッチ７のケース７１の前壁より前方に突出した第１ドア検出片７２３ａが第１ドア２に設けた係合部材２１の張出片２２に当接して押圧される。これにより、第１ドア検出片７２３ａを介してラッチ部材７２が復帰ばね７３（図１０では摺動溝７２０と段付きねじ７５との関係が明瞭となるように復帰ばね７３は点線で示している）を引き伸ばしながら後方にスライド移動する。ラッチ部材７２の後方への移動により一対の摺動溝７２０の水平溝７２０ｂに挿通された段付きねじ７５は水平溝７２０ｂ内を相対移動したうえで、第１ドア２における係合部材２１の張出片２２がマグネットホルダー６のケース６１の前壁に取付けられたマグネット６０に吸着されると水平溝７２０ｂと鉛直溝７２０ａとの交差点に位置してその状態が維持される（図１０の（ｂ））。この場合、ラッチ部材７２のラッチ片７２２ａはケース７１の前壁より後方に位置している。なお、後方へ移動するラッチ部材７２の姿勢は、一対の摺動溝７２０の水平溝７２０ｂにそれぞれ挿通された段付きねじ７５により上下のフランジ６２２，６２３が水平状態の姿勢に維持されている。次いで、第２ドア３を閉じると、第２ドア３の左側ドア枠３ｃが第１ドア２に設けた係合部材２１に覆い被さって前後に重なり合う。
【００３７】
ここで、第２ドア３を閉じる際にドアロック装置のシリンダー錠４１は解錠状態にあるのでスライダ４が上限位置に上昇し、これに伴いスライダ４に固着したフック係合片４０も上限位置に上昇している。このように、シリンダー錠４が解錠状態でスライダ４が上昇位置に上昇した状態にある第２ドア３の左側ドア枠３ｃを第１ドア２に設けた係合部材２１に重なり合うように閉じると、中段のフック係合片４０がドアスイッチ７の上方域に進入し、フック係合片４０の下方に開口した切り込みがドアスイッチ７のケース７１の前壁の上方に位置する。上段および下段のフック係合片４０の下方に開口した切り込みは、上段および下段のマグネットホルダー６のケース６１の前壁の上方に位置する。第２ドア３を閉じた状態で、第２ドア３の前方から解錠状態のシリンダー錠４１のキー挿入溝にキーを挿入してシリンダー錠４１を反時計方向（図７の（ａ）では矢印Ａと反対の方向）に略９０度回転させる（施錠する）とシリンダー錠４１の内筒の後端に固着された操作レバー４３を介して段付きねじ４４がシリンダー錠４１の内筒を中心に反時計方向に旋回してスライダ４を下降させる。スライダ４とともに下降するフック係合片４０がドアスイッチ７のラッチ部材７２の上フランジ７２２に当接してラッチ部材７２を下方に押圧する。この場合、ドアスイッチ７のケース７１（およびマグネットホルダー６のケース６１）の前壁がフック係合片４０の下方に開口した切り込みに進入（図１１参照）するので、マグネットホルダー６およびドアスイッチ７によってフック係合片４０（スライダ４）の下降が妨げられることはない。フック係合片４０により下方に押圧されるラッチ部材７２は、段付きねじ６５がラッチ部材７２の一対の摺動溝７２０の水平溝７２０ｂと鉛直溝７２０ａの交差点にそれぞれ位置しているので鉛直方向に下方にスライドする。ラッチ部材７２の下方へのスライドによりラッチ部材７２の下フランジ７２３が押釦スイッチ７４の押釦７４１に当接して押圧する。これにより押釦スイッチ７４は作動して第１ドア２および第２ドア３の閉塞状態信号を送信する（図１０の（ｃ））。また、図１１に示すように、スライダ４に固着したフック係合片４０の下方に開口した切り込みがマグネットホルダー６のケース６１およびドアスイッチ７のケース７１の前壁と係合することにより第１ドア２および第２ドア３がロックされる。この場合、ドアスイッチ７のケース７１に内蔵された復帰ばね７３は、図１０の（ｃ）に示すように、ケース７１の前壁に係止された前方側が高く、ラッチ部材７２の矩形基台７２１の後縁から切り起こされたばね係止片７２４に係止された後方側が低くなるように前上がりに傾斜して後方に移動したラッチ部材７２を前方側に引き上げるような力をラッチ部材７２に付与している。
【００３８】
ドアロック装置によりロックされた第１ドア２および第２ドア３をアンロックする場合、第２ドア３の前方から施錠状態のシリンダー錠４１のキー挿入溝にキーを挿入してシリンダー錠４１を時計方向（図７の（ａ）では矢印Ａと反対の時計方向）に略９０度回転させると操作レバー４３を介して段付きねじ４４がシリンダー錠４１の内筒を中心に時計方向に旋回してスライダ４を上昇させてフック係合片４０をマグネットホルダー６のケース６１およびドアスイッチ７のケース７１の前壁から離脱させる。これにより第２ドア３を開放した後、第１ドア２を開放することができる。ここで、第１ドア２および第２ドア３がロックされている場合、ドアスイッチ７のケース７１に内蔵された復帰ばね７３は、図１０の（ｃ）に示すように、前上がりに傾斜して後方に移動したラッチ部材７２を前方側に引き上げるように付勢した状態にある。この状態からシリンダー錠４１の解錠に連動してフック係合片４０が上昇すると、ラッチ部材７２は復帰ばね７３によりラッチ部材７２を前方側へ引き上げる付勢力により上方へスライド、つまり、ラッチ部材７２に形成した一対の摺動溝７２０の鉛直溝７２０ａに位置する段付きねじ６５に沿って上方へスライドし、鉛直溝７２０ａに対して相対的に移動する段付きねじ６５が摺動溝７２０の鉛直溝７２０ａと水平溝７２０ｂの交差点に差し掛かるとラッチ部材７２の上フランジ７２２から前方に延在するラッチ片７２２ａがケース７１の前壁の上縁より上方域に進出する。ラッチ部材７２のラッチ片７２２ａがケース７１の前壁の上縁より上方域に進出するとラッチ片７２の前方への移動が許容されるので、復帰ばね７３の付勢力により段付きねじ６５が摺動溝７２０の水平溝７２０ｂの端縁に移動する一方、とラッチ部材７２が前方にスライドしてラッチ片７２２ａおよび第１ドア検出片７２３ａがケース７１の前壁よりも前方に突出する待機状態に復帰する。
【００３９】
さて、前述では観音開き式の第１ドア２および第２ドア３を正常に閉じた場合、すなわち、第１ドア２を閉じたうえで第２ドア３を閉じた場合のドアスイッチ７の動作について説明したが、人為的ミスにより第２ドア３，第１ドア２の順に閉じた場合のドアスイッチ７の動作について以下に説明する。第１ドア２を閉じる前に第２ドア３を閉じた場合、第２ドア３の左側ドア枠３ｃの内方を向くフランジは、第１ドア２の係合部材２１に対峙して第１ドア２の反ヒンジ側面における係合部材２１の屈曲部に設けたクッション１ｇ（図３参照）に当接してドアスイッチ７におけるラッチ部材７２の前方に突出したラッチ片７２２ａおよび第１ドア検出片７２３ａの前方域に位置している。つまり、第２ドア３の左側ドア枠３ｃの内方を向くフランジは、ドアスイッチ７におけるラッチ部材７２の前方に突出したラッチ片７２２ａおよび第１ドア検出片７２３ａに当接することがないようにラッチ片７２２ａおよび第１ドア検出片７２３ａとは奥行き方向に離隔して構成されている。したがって、ドアスイッチ７におけるラッチ部材７２のラッチ片７２２ａは、ケース７１の前壁の上縁よりも前方に突出した状態を維持している。このため、第２ドア３を閉じたうえでシリンダー錠４１のキー挿入溝にキーを差し込んでシリンダー錠４１を解錠状態から施錠状態にすべく操作（回転）した場合、スライダ４に固着されたフック係合片４０がラッチ部材７２の上フランジ７２２に当接しても、ラッチ部材７２のラッチ片７２２ａがケース７１の前壁より前方に突出してラッチされているのでシリンダー錠４１を施錠状態に操作（回転）することがない。つまり、ドアロック装置によりドアをロックしようとしてもドアをロックすることができない。したがって、人為的ミスにより第１ドア２，第２ドア３を閉じる順番を間違えた場合には、ドアスイッチ７が第２ドア３のロックを阻止して誤操作を防止することができる。
【００４０】
前述したように、この実施の形態に係る自動販売機のドアロック装置においては、前面が開口した本体ケース１と、当該本体ケース１の開口を開閉するドア（第２ドア３）と、前記ドア（第２ドア３）に装着したシリンダー錠４１の操作に連動して回動する操作レバー４３より当該ドア（第２ドア３）に設けたスライダ４をスライド移動させてドア（第２ドア３）をロック・アンロックする自動販売機のドアロック装置において、前記スライダ４は平板状をなすとともに平板面がドア（第２ドア３）の側面（左側ドア枠３ｃ）に平行に配設される態様で上下方向にスライド移動自在であり、かつ、ドア（第２ドア３）の後方に向けて突出するフック係合片４０を上下方向に分散して設けてなり、本体ケース１はドア（第２ドア３）に配設されたスライダ４のフック係合片４０に対応する位置に係止部５を設けてなり、前記ドア１を閉じた状態でスライダ４に設けたフック係合片４０を本体ケース１に設けた係止部５に係止させてドア（第２ドア３）をロックし、前記ドア（第２ドア３）に装着したシリンダー錠４１の操作に連動して回動する操作レバー４３より前記スライダ４をスライド移動させて当該スライダ４に設けたフック係合片４０を本体ケース１に設けた係止部５から離脱させてドア（第２ドア３）をアンロックすることにより、スライダ４は平板状であって平板面がドア（第２ドア３）の側面（左側ドア枠３ｃ）に平行に配設されることからスライダ４の左右方向の幅を狭くすることができるのでドアロック装置の省スペース化が可能となるという効果を奏する。
【００４１】
なお、前述した実施の形態においてはドアロック装置を観音開き式に開閉自在な第１ドア、第２ドアに適用したものについて説明したが、ドアロック装置はドアが左右に分割されることなく一枚のドア体からなるものにも適用することができるものであり、ドアの幅方向寸法に占めるドアロック装置の割合を小さくすることができるものである。
【００４２】
また、前述した実施の形態においてはスライダ４のフック係合片４０と係合・離脱する係止部５はマグネットホルダー６のケース６１およびドアスイッチ７のケース７１を兼用したものについて説明したが、係止部５として専用の部品を用いることもできるものである。したがって、実施の形態により本発明が限定されるものではない。
【符号の説明】
【００４３】
１…本体ケース、２…第１ドア、２ａ〜２ｄ…硬質ガスケット、３…第２ドア、３ｃ…左側ドア枠、４…スライダ、４Ａ…作動片、５…係止部、６…マグネットホルダー、７…ドアスイッチ、１０…断熱仕切壁１０…商品収納ラック、断熱仕切壁、２１…係合部材、２２…張出片、３０…硬貨シュート、３３…硬貨投入口、３７…硬貨識別装置、４０…フック片、４１…シリンダー錠、４３…操作レバー、６０…マグネット、６１…マグネットホルダーのケース、６２…マグネット取付基台、７１…ドアスイッチのケース、７２…ラッチ部材、７３…復帰ばね、７４…押釦スイッチ（スイッチ）、３１０…可動カバー、３１１…摺動溝、３２１，３２２…段付きねじ、３７０…硬貨受入口、７２０…摺動溝、７２２ａ…ラッチ片、７２３ａ…第１ドア検出片。 
【図１】
2015045913.tif 000003
【図２】
2015045913.tif 000004
【図３】
2015045913.tif 000005
【図４】
2015045913.tif 000006
【図５】
2015045913.tif 000007
【図６】
2015045913.tif 000008
【図７】
2015045913.tif 000009
【図８】
2015045913.tif 000010
【図９】
2015045913.tif 000011
【図１０】
2015045913.tif 000012
【図１１】
2015045913.tif 000013